(57)【要約】【課題】本発明は空気調和機の補助フラップに関し、特に家庭に配備される空気調和機に必要に応じて取付けられ、吹出口から吹出される冷気や暖気等の調和空気に応じて簡単な取扱い操作により風向きを変更して遠方まで調和空気が到達するように制御させ、効率的に冷房または暖房を行うものである。【解決手段】吹出口２を有する空気調和機本体１の上面Ｊ１、下面Ｊ２、正面Ｊ３のうち何れか一面に取付けられる固定部６と、該固定部に一端が取付けられるリンク７の他端に角度を変更可能に取付けられる小幅な連結部９を前後に分離溝８，８を配して形成した風向板５とを吹出口の前面に備え、吹出口から吹き出される冷気または暖気等の調和空気Ｋに対して風向板の角度を変えて風向きを変更可能となす。【選択図】      図１
2004340491.tif 000002
【特許請求の範囲】
【請求項１】
吹出口を有する空気調和機本体の上面、下面、正面のうち少なくとも何れか一面に取付けられる固定部と、該固定部に一端が取付けられるリンクと、該リンクの他端に角度を変更可能に取付けられる小幅な連結部を前後に分離溝を配して形成した風向板とを前記吹出口の前面に備え、前記吹出口から吹き出される冷気または暖気等の調和空気に対して前記風向板の角度を変えて風向きを変更可能となすことを特徴とした空気調和機の補助フラップ。
【請求項２】
前記リンクは、第１リンクと、第２リンクとよりなる２節のリンクよりなり、前記第１リンクの一端には固定部が設けられ、前記第１リンクと第２リンクとの接合端相互は係合手段を設けることにより第１リンクと第２リンクとの取付角度を所望角度に変更可能に取り付けることを特徴とする請求項１に記載の空気調和機の補助フラップ。
【請求項３】
前記第１リンクと第２リンクとは、前記係合手段が本体部の一側に抱持片を設け、本体部の他側には前記第１リンクまたは前記第２リンクの接合端に同心円的に設けた複数の突起または突起が係脱可能になる凹部を設けたスペーサと、該スペーサの前記抱持片内に係入されるナットと、該ナットに螺入される止めねじとにより角度を変更可能に締着されることを特徴とする請求項１または請求項２に記載の空気調和機の補助フラップ。
【請求項４】
前記第１リンクと、第２リンクとは、一方のリンクの接合端に設ける長孔と、他方のリンクの接合端に螺挿されて前記長孔内に摺動可能に挿入される前記止めねじとにより取付長さを長短変更可能に取付けられることを特徴とした請求項１，請求項２，請求項３の何れかに記載の空気調和機の補助フラップ。
【請求項５】
前記第１リンクは、顎部を有する側面略Ｌ字形に形成されることを特徴とする請求項１，請求項２，請求項３，請求項４の何れかに記載の空気調和機の補助フラップ。
【請求項６】
前記風向板は、平面略矩形の同形状をなす２枚の風向板素体の接合端相互が幅方向の略中間部に到る分離溝を前後に配した前記連結部を介して長手方向の略中間にて連結されたことを特徴とする請求項１，請求項２，請求項３，請求項４，請求項５に記載の空気調和機の補助フラップ。
【請求項７】
前記風向板は、連結部が前記第２リンクの先端に長手方向に交叉して設けた保持筒内に嵌脱可能に嵌入、支持されることを特徴とする請求項１，請求項２，請求項３，請求項４，請求項５，請求項６に記載の空気調和機の補助フラップ。
【請求項８】
前記風向板には、必要に応じて適宜形状、適宜配列にて通気孔が設けられたことを特徴とする請求項１，請求項２，請求項３，請求項４，請求項５，請求項６，請求項７に記載の空気調和機の補助フラップ。
【発明の詳細な説明】
【０００１】
【発明の属する技術分野】
本発明は空気調和機の補助フラップに関し、特に家庭に配備される空気調和機に必要に応じて取付けられ、吹出口から吹出される冷気や暖気等の調和空気に応じて簡単な取扱い操作により風向きを変更して遠方まで調和空気が到達するように制御させ、効率的に冷房または暖房を行うものである。
【０００２】
【従来の技術】
従来、家庭に配備される空気調和機として例えば壁に掛けられる壁掛用のものは、空気調和機本体の前部下面に開口する横長の吹出口にフラップを水平軸回りに設置角度を前後方向に調整可能に取付けることにより冷気または暖気等の調和空気を上下方向に吹出方向を変更して調和空気の到達距離を選定していた。また、吹出口内に垂直軸回りに設置角度を変位可能に設けた複数枚のルーバにより調和空気の吹出方向を左右方向に変更させる等するものであった。このように、フラップとルーバとを自動的または手動操作により駆動することにより調和空気を上下方向、左右方向にそれぞれ吹出方向を変更し、調和空気の到達距離等の気流制御を行うものであり、一般に暖気は比重が軽いために下向きに吹き出し、また冷気は比重が重いために上向きに吹出される。
【０００３】
特に、冷気の場合には、吹出口から上側に吹出した冷気がそのまま下降して直下のものを過度に冷却してしまうため、吹出口を有する空気調和機本体の左右の側板に１対のアームの両基端部を止着し、該アームの先端側の揺動端間に空気調和機本体の略全域にわたる長さのルーバ本体（補助フラップ）の両端を回動可能に軸設することにより、１対のアームを用いて空気調和機本体の両側にルーバ本体を両持支持させて吹出口から吹出される調和空気はルーバ本体に衝突して拡散され、特に冷気等を直接身体に当たらないようにした空気調和機の空気制御装置があった（特許文献１参照。）。
【０００４】
【特許文献１】
特開２００３−４２５３１号公報（第１−３頁、図１−図５参照）
【０００５】
【発明が解決しようとする課題】
しかしながら特許文献１に記載の上記従来の空気調和機の空気制御装置は、１対のアームを用いて空気調和機本体の両側にルーバ本体を両持支持させて吹出口から吹出される調和空気をルーバ本体に衝突させて拡散されるものであるので、例えば空気調和機本体を室内のコーナ個所に取付けることにより空気調和機本体の側面とコーナ個所の壁面との間に充分な間隙を確保できない場合には一方のアーム、該アームの基端部を空気調和機本体に取付けるための止着部、さらにはアームの先端部にルーバ本体を取付けるための軸設部を配設することができず、ルーバ本体を取付けることができなかった。
また、室内に配置される家具、書棚等に邪魔されることにより１対のアームを用いてルーバ本体を空気調和機本体の左右の側面に両持支持できないこともある。
【０００６】
さらには、ルーバ本体を１対のアームを用いて空気調和機本体に折角、両持支持させても、家具等にアームが衝突されて邪魔になり、アームの回動が制限されるため、吹出口から吹出される調和空気の吹出方向を変更したり、到達距離を制御できないという不都合があった。
【０００７】
また、空気調和機本体の左右の側面に１対のアームの取付基端部を同高さ、同奥行にて取付けなければ１対のアームおよびルーバ本体を円滑かつ確実に回動させることができず、取付には多くの時間と手間がかかっていた。
【０００８】
また、ルーバ本体の長さが空気調和機本体の全長に合う一定長さに形成しなければならないので、種々の大きさの空気調和機本体に対応してルーバ本体を取付けるのにはそれぞれ空気調和機本体の全長に合う長さの専用のルーバ本体を用意しなければ取付が行えないため、型代が嵩み、製作コストは高価になる。
しかも、部品数が多くなり、製作および組付は容易には行えず製作コストは高価になっていた。
【０００９】
本発明は上記従来の不都合を解決し、空気調和機本体を室内のコーナ個所に取付ける場合等、空気調和機本体の側面と室内のコーナ個所の壁面との間に充分な間隙を確保できない場合や室内に配備される家具等の障害物がある場合、また種々の大きさの空気調和機本体にも風向板を簡単かつ確実に取付ることができるとともに風向板の取付後にも取扱操作が容易かつ確実に行え、以て吹出口から吹出される調和空気の吹出方向を変更して到達距離の制御が行え、しかも部品数が少なく構造簡単であり、製作および組付けが容易で製作コストが安価な空気調和機の補助フラップを提供することを目的とする。
【００１０】
【課題を解決するための手段】
本発明は上記課題に鑑みなされ、請求項１に記載の発明は、吹出口を有する空気調和機本体の上面、下面、正面のうち少なくとも何れか一面に取付けられる固定部と、該固定部に一端が取付けられるリンクと、該リンクの他端に角度を変更可能に取付けられる小幅な連結部を前後に分離溝を配して形成した風向板とを前記吹出口の前面に備え、前記吹出口から吹き出される冷気または暖気等の調和空気に対して前記風向板の角度を変えて風向きを変更可能となすことを特徴としたという手段を採用した。
【００１１】
また、本発明の請求項２に記載の発明は、請求項１において、前記リンクは、第１リンクと、第２リンクとよりなる２節のリンクよりなり、前記第１リンクの一端には固定部が設けられ、前記第１リンクと第２リンクとの接合端相互は係合手段を設けることにより第１リンクと第２リンクとの取付角度を所望角度に変更可能に取り付けることを特徴とするという手段を採用した。
【００１２】
また、本発明の請求項３に記載の発明は、請求項１または請求項２において、前記第１リンクと第２リンクとは、前記係合手段が本体部の一側に抱持片を設け、本体部の他側には前記第１リンクまたは前記第２リンクの接合端に同心円的に設けた複数の突起または突起が係脱可能になる凹部を設けたスペーサと、該スペーサの前記抱持片内に係入されるナットと、該ナットに螺入される止めねじとにより角度を変更可能に締着されることを特徴とするという手段を採用した。
【００１３】
また、本発明の請求項４に記載の発明は、請求項１，請求項２，請求項３において、前記第１リンクと、第２リンクとは、一方のリンクの接合端に設ける長孔と、他方のリンクの接合端に螺挿されて前記長孔内に摺動可能に挿入される前記止めねじとにより取付長さを長短変更可能に取付けられることを特徴としたという手段を採用した。
【００１４】
また、本発明の請求項５に記載の発明は、請求項１，請求項２，請求項３，請求項４において、前記第１リンクは、顎部を有する側面略Ｌ字形に形成されることを特徴とするという手段を採用した。
【００１５】
また、本発明の請求項６に記載の発明は、請求項１，請求項２，請求項３，請求項４，請求項５において、前記風向板は、平面略矩形の同形状をなす２枚の風向板素体の接合端相互が幅方向の略中間部に到る分離溝を前後に配した前記連結部を介して長手方向の略中間にて連結されたことを特徴とするという手段を採用した。
【００１６】
また、本発明の請求項７に記載の発明は、請求項１，請求項２，請求項３，請求項４，請求項５，請求項６において、前記風向板の連結部は、前記第２リンクの先端に長手方向に交叉して設けた保持筒内に嵌脱可能に嵌入、支持されることを特徴とするという手段を採用した。
【００１７】
また、本発明の請求項８に記載の発明は、請求項１，請求項２，請求項３，請求項４，請求項５，請求項６，請求項７において、前記風向板には、必要に応じて適宜形状、適宜配列にて通気孔が設けられたことを特徴とするという手段を採用した。
【００１８】
【発明の実施の形態】
以下、図面に従って本発明の実施の形態の具体例を説明する。
図１は本発明の空気調和機の補助フラップの一実施形態を示す分解斜視図、図２は正面図、図３は同じく本発明のリンクを形成する第１リンクと、第２リンクとを係合手段を介して連結した状態の拡大断面図、図４は本実施形態の風向板を取付けるためのリンクを構成する第１リンクの拡大側面図、図５は同じく第１リンクの拡大平面図、図６は同じく拡大右側面図、図７は本実施形態のリンクを構成する第２リンクの拡大側面図、図８は同じく第２リンクの拡大平面図、図９は本実施形態を構成するスペーサの拡大側面図、図１０は同じく拡大背面図、図１１は本実施形態を構成する風向板の拡大平面図、図１２は同じく拡大正面図、図１３は同じく調和空気本体の吹出口から吹出される調和空気として冷気の風向きを風向板により変更する使用状態を示す断面図、図１４は同じく調和空気本体の吹出口から吹出される調和空気として暖気の風向きを風向板により変更する使用状態を示す断面図である。
【００１９】
１は例えば家庭用の壁掛け用の空気調和機本体であり、この空気調和機本体１の正面下方には例えば横長の吹出口２が設けられている。この横長の吹出口２は、例えば家庭用の壁掛け用の空気調和機本体１としては、全長Ｌが例えば６０〜８０ｃｍ程度である。そして、この吹出口２内には例えばフラップ３を水平軸回りに設置角度を前後方向に調整可能に取付けることにより冷気または暖気等の調和空気Ｋを上下方向に吹出方向を変更して調和空気Ｋの到達距離を選定するようになっている。また、前記吹出口２内には複数枚のルーバ４を垂直軸回りに設置角度を変位可能により調和空気Ｋの吹出方向を左右方向に変更させるようになっている。
【００２０】
５は空気調和機本体１の吹出口２の前面に取付けられる風向板であり、この風向板５は、空気調和機本体１の上面Ｊ１、下面Ｊ２、正面Ｊ３のうち少なくとも何れか一面に取付けられる軸長方向Ｘに伸びる固定部６と、該固定部６に一端が取付けられるリンク７の他端に角度を変更可能に取付けられる。この固定部６は、本実施形態では図に示すように例えば両面粘着テープＮが使用されるほかに、例えばビス止めによってもよい。
【００２１】
また、前記風向板５は、例えば図１、図１１に示すように、平面略矩形の同形状をなす２枚の風向板素体５Ａ，５Ａの接合端相互が幅方向Ｗの略中間部に到る分離溝８，８を前後に配して形成される小幅な連結部９を介して長手方向Ｘの略中間にて連結して形成され、その風向板５の全長Ｌ１は空気調和機本体１の全長Ｌよりも短い例えば３０〜４０ｃｍの長さに形成される。Ｐは風向板素材５Ａ，５Ａに必要に応じて適宜個数、適宜配列（図では２列４個）にて設けられる通気孔であり、この通気孔Ｐは風向板５に対する調和空気Ｋの拡散量や到達距離等の制御を加減するためのものである。また、この通気孔Ｐは、図示する如く平面略矩形のものに限ることなく、例えば長円形、円形、正方形、四角形、菱形等、自由であり、その大きさも適宜選択される。そして、この風向板５は、小幅な前記連結部９をリンク７の後記第２リンク１１の先端に長手方向Ｘに交叉して設けた保持筒１１ｂ内に周面の全長に設けたスリット１１ｃから嵌脱可能に嵌入、支持することによりリンク７の他端に角度αを変更可能に取付ける。
【００２２】
前記リンク７は、第１リンク１０と、第２リンク１１とよりなる２節のリンクよりなる。そして、前記第１リンク１０は、顎部１０ａを有する側面略Ｌ字形に形成され、一端には前記固定部６が設けられる。また、前記第１リンク１０と第２リンク１１との接合端相互は係合手段１２を設けることにより第１リンク１０と第２リンク１１とは取付角度が所望角度βに変更可能に取り付けられる。
【００２３】
すなわち、第１リンク１０と、第２リンク１１とは、前記係合手段１２が本体部１３ａの一側に軸長方向Ｘに伸びる抱持片１４，１４を設け、本体部１３ａの他側には前記第１リンク１０または前記第２リンク１１の接合端に同心円的に設けた複数の突起または突起が係脱可能になる凹部を設けたスペーサ１３と、該スペーサ１３の前記抱持片１４，１４内に係入されるナット１５と、該ナット１５に螺入される止めねじ１６とにより角度を変更可能に締着される。
本実施形態では、図示するように第２リンク１１の接合端に複数、８個の凹部１１ａを同心円的に設け、またスペーサ１３には前記凹部１１ａの何れかに係脱可能になる２個の突起１３ｂが設けられている。
【００２４】
また、前記第１リンク１０と、第２リンク１１とは、一方の第１リンク１０の接合端に設ける長孔１７と、他方の第２リンク１１の接合端に螺挿されて前記長孔１７内に摺動可能に挿入される前記止めねじ１６と、該止めねじ１６に螺合されるナット１５によりリンク７の取付長さＬ２を長短変更可能に取付けられる。
【００２５】
本発明の一実施形態は以上の構成からなり、例えば室内の壁３０等に掛けられた空気調和機本体１の正面下方に設けた横長の吹出口２の前方に風向板５を取付けるのには、先ず空気調和機本体１の上面Ｊ１、下面Ｊ２、正面Ｊ３のうち少なくとも何れか一面、図において例えば空気調和機本体１の下面Ｊ２の長手方向Ｘの略中程に長手方向Ｘに伸びる固定部６を取付けてリンク７の一端を取付ける。この時、空気調和機本体１に対する固定部６の取付は、本実施形態では図に示すように例えば両面粘着テープＮが使用されるほかに、例えばビス止めを採用することにより空気調和機本体１にリンク７の一端を容易かつ確実に取付けることができる。
【００２６】
そして、風向板５は、図１、図１１に示すように、平面略矩形の同形状をなす２枚の風向板素体５Ａ，５Ａの接合端相互が、幅方向Ｗの略中間部に到る分離溝８，８を前後に配した小幅な連結部９を介して長手方向Ｘの略中間にて連結されることにより風向板５の全長Ｌ１は、空気調和機本体１の全長Ｌが６０〜８０ｃｍよりも小さい長さ、例えば３０〜４０ｃｍに形成されるので、固定部６を一端に備えたリンク７、すなわち本実施形態では第２リンク１１の先端に交叉して設けた保持筒１１ｂ内に、スリット１１ｃから小幅な連結部９を嵌入、支持することにより風向板５は長手方向Ｘの略中程をリンク７により空気調和機本体１に片持、支持される。
【００２７】
しかも、リンク７は顎部１０ａを有する側面略Ｌ字形に形成されるので、空気調和機本体１の例えば上面Ｊ１または下面Ｊ２に固定部６を介してリンク７を取付けた場合に、空気調和機本体１の外形状に第１リンク７の顎部１０ａを沿わせてコンパクトにリンク７を配置できるため、空気調和機本体１に設ける吹出口２の前面に風向板５を嵩張りがなくコンパクトに配置することができる。
【００２８】
この時、風向板５は、小幅な連結部９をリンク７の保持筒１１ｂ内に嵌入、支持することにより空気調和機本体１の下面Ｊ２に片持、支持することにより吹出口２の全長Ｌが６０〜８０ｃｍより小さい長さＬ１、例えば３０〜４０ｃｍに形成されるので、例えば室内のコーナ個所の壁面３０との間の充分な間隙を確保できない場合に、空気調和機本体１の下面Ｊ２に吹出口２の全長Ｌに合わせて複数枚の風向板５を取付ることができる。
【００２９】
また、空気調和機本体１に設ける吹出口２の大きさが種々であっても、この吹出口２の前面に前述のように、固定部６を空気調和機本体１の下面Ｊ２に取付けることにより、上述のように、リンク７を用いて適当数の風向板５を吹出口２の前面に片持、支持して取付けることができるため、特許文献１に記載の従来の発明のように、種々の大きさの空気調和機本体の吹出口の全長に合う長さに形成された専用のルーバ本体を横長の吹出口に合わせて取付けるものとは異なり、種々の大きさの空気調和機本体１に対応して吹出口２の前面に風向板５を適当数、取付けることができ、型代および製作コストは安価になる。
【００３０】
ところで、本実施形態では上記リンク７を形成する第１リンク１０と第２リンク１１との接合端相互の角度βを変更可能に取付けるための係合手段１２は、スペーサ１３の本体部１３ａの一側にナット１５が係入される抱持片１４，１４を設け、またスペーサ１３の本体部１３ａの他側には第２リンク１１の接合端に同心円的に設けた複数の凹部１１ａのうち選択された何れかに係脱可能になる突起１３ｂを設けているので、抱持片１４，１４内に係入されているナット１５に止めねじ１６を螺入することにより、第１リンク１０と第２リンク１１とは、角度βを変更可能に止めねじ１６とナット１５とにより締着されるため、第２リンク１１の接合端に同心円的に設けた複数の凹部１１ａのうち何れかを選択してスペーサ１３の対向する他面に設けた対応する突起１３ｂを係入した後に、ナット１５に止ねじ１６を螺入して第１リンク１０と第２リンク１１との接合端相互の角度βを係合手段１２を介して容易かつ確実に変更して調整を行うことができる。
【００３１】
しかも、前述のように空気調和機本体１の上面Ｊ１、下面Ｊ２、正面Ｊ３のうち少なくとも何れか一面、図において例えば空気調和機本体１の下面Ｊ２の所望位置に取付けられる固定部６を一端に備えたリンク７、すなわち本実施形態では第１リンク１０に連係される第２リンク１１の先端に交叉して設けた保持筒１１ｂ内に、風向板５の小幅な連結部９を嵌入、支持することにより、吹出口２の前面にリンク７を介して風向板５は片持、支持されるので、保持筒１１ｂ内に嵌入、支持されている小幅な連結部９を回動することにより風向板５の第２リンク１１に対する角度αを変更できるため、吹出口２から吹出される冷気または暖気の調和空気Ｋの風向きや調和空気Ｋの風向板５に対する拡散量をワンタッチにて容易かつ確実に変更可能にすることができる。
【００３２】
さらに、前述のように空気調和機本体１の下面に固定部６が取付けられたリンク７の第１リンク１０に設けた長孔１７内に挿入される止めねじ１６をナット１５に螺入して第１リンク１０と第２リンク１１とは締着されているので、第１リンク１０に対する第２リンク１１の取付長さＬ２を長短調節できる。この時、第１リンク１０に設けた長孔１７の設置長さを加減することにより、第１リンク１０に対する第２リンク１１の取付長さＬ２を容易に長短調節するができる。
【００３３】
従って、例えば室内のコーナ個所に近くに空気調和機本体１を取付けることにより、空気調和機本体１の側面とコーナ個所の壁面３０との間に充分な間隙を確保できない場合、または、室内に配置される家具、書棚等の障害物がある場合に、特許文献１に記載の従来の発明のように、１対のアームを用いてルーバ本体を空気調和機本体の左右の側面に両持、支持するために、アームの基端部を空気調和機本体に取付けるための止着部、さらにはアームの先端部にルーバ本体を取付けるための軸設部を配設したり、または、室内に配置される家具、書棚等に邪魔されるのとは異なり、リンク７が家具等に衝突されて邪魔になることがなく、狭い設置スペースでさえも１個のリンク７により風向板５を空気調和機本体１に片持、支持して取付けることができる。しかも風向板５の取付後には、リンク７の回動が家具等により制限されずに自由にリンク７を回動することができる。従って、吹出口２から吹出される調和空気Ｋの吹出方向を迅速かつ確実に変更したり、到達距離を確実に制御することができる。
【００３４】
そして、例えば空気調和機本体１の吹出口２から吹出される調和空気Ｋが冷気の場合には比重が重いので、図１３に示すように吹出口２の前面に取付けられた風向板５により冷気を上方へ拡散させるようにして冷気の吹出方向、到達距離、を制御することができ、室内を効率良く冷房することができる。
また、吹出口２から吹出される調和空気Ｋが暖気の場合には比重が軽く天井付近に溜まり易いので、図１４に示すように風向板５により暖気を下方へ拡散させるようにして暖気の吹出方向、到達距離、拡散量を制御することができ、室内を効率良く暖房することができる。
【００３５】
上記説明では、空気調和機本体１の上面Ｊ１、下面Ｊ２、正面Ｊ３のうち空気調和機本体１の下面Ｊ２に固定部６を取付けることによりリンク７を用いて風向板５を片持、支持することにより調和空気Ｋの吹出方向、到達距離、拡散量を迅速かつ確実に制御するようにしているが、リンク７を用いた風向板５の空気調和機本体１に対する取付個所は上記説明に限らず、空気調和機本体１の上面Ｊ１または正面Ｊ３であってもよい。
【００３６】
【発明の効果】
本発明の請求項１に記載の発明は以上のように、吹出口を有する空気調和機本体の上面、下面、正面のうち少なくとも何れか一面に取付けられる固定部と、該固定部に一端が取付けられるリンクと、該リンクの他端に角度を変更可能に取付けられる小幅な連結部を前後に分離溝を配して形成した風向板とを前記吹出口の前面に備え、前記吹出口から吹き出される冷気または暖気等の調和空気に対して前記風向板の角度を変えて風向きを変更可能となすことを特徴としたので、空気調和機本体を室内のコーナ個所に取付ける場合等、空気調和機本体の側面と室内のコーナ個所の壁面との間に充分な間隙を確保できない場合や室内に配備される家具等の障害物がある場合、また種々の大きさの空気調和機本体にも風向板を簡単かつ確実に取付ることができるとともに風向板の取付後にも取扱操作が容易かつ確実に行え、以て吹出口から吹出される調和空気の吹出方向を変更して到達距離の制御が行え、しかも部品数が少なく構造簡単であり、製作および組付けが容易で製作コストが安価になる。
【００３７】
また、本発明の請求項２に記載の発明は、請求項１において、前記リンクは、第１リンクと、第２リンクとよりなる２節のリンクよりなり、前記第１リンクの一端には固定部が設けられ、前記第１リンクと第２リンクとの接合端相互は係合手段を設けることにより第１リンクと第２リンクとの取付角度を所望角度に変更可能に取り付けることを特徴とし、また、本発明の請求項３に記載の発明は、請求項１または請求項２において、前記第１リンクと第２リンクとは、前記係合手段が本体部の一側に抱持片を設け、本体部の他側には前記第１リンクまたは前記第２リンクの接合端に同心円的に設けた複数の突起または突起が係脱可能になる凹部を設けたスペーサと、該スペーサの前記抱持片内に係入されるナットと、該ナットに螺入される止めねじとにより角度を変更可能に締着されることを特徴とするので、空気調和機本体に設ける吹出口に合わせて前面の適当位置に風向板を配置することができるとともに風向板の取付角度を変更することにより吹出口から吹出される調和空気の吹出方向を変更したり、到達距離を制御することができる。
【００３８】
また、本発明の請求項４に記載の発明は、請求項１，請求項２，請求項３において、前記第１リンクと、第２リンクとは、一方のリンクの接合端に設ける長孔と、他方のリンクの接合端に螺挿されて前記長孔内に摺動可能に挿入される前記止めねじとにより取付長さを長短変更可能に取付けられることを特徴とするので、止めねじを緩めることにより第１リンクに対して第２リンクの取付長さを長短調節して空気調和機本体に設ける吹出口に合わせて前面の適当位置に風向板を配置することができる。
【００３９】
また、本発明の請求項５に記載の発明は、請求項１，請求項２，請求項３，請求項４において、前記第１リンクは、顎部を有する側面略Ｌ字形に形成されることを特徴とするので、空気調和機本体の上面または下面に固定部を介してリンクを取付けた場合に、空気調和機本体の外形状に合わせて顎部を合致してコンパクトにリンクを配置でき、空気調和機本体に設ける吹出口の前面に風向板を容易かつ確実に配置することができる。
【００４０】
また、本発明の請求項６に記載の発明は、請求項１，請求項２，請求項３，請求項４，請求項５において、前記風向板は、平面略同形状をなす２枚の風向板素体の接合端相互が幅方向の略中間部に到る分離溝を前後に配した前記連結部を介して長手方向の略中間にて連結されたことを特徴とし、また本発明の請求項７に記載の発明は、請求項１，請求項２，請求項３，請求項４，請求項５，請求項６において、前記風向板の連結部は、前記第２リンクの先端に長手方向に交叉して設けた保持筒内に嵌脱可能に嵌入、支持されることを特徴とするので、１つのリンクを用いて風向板を空気調和機本体の上面、下面、正面のうち少なくとも何れか一面に片持、支持することができる。
【００４１】
また、本発明の請求項８に記載の発明は、請求項１，請求項２，請求項３，請求項４，請求項５，請求項６，請求項７において、前記風向板には、必要に応じて適宜形状、適宜配列にて通気孔が設けられたことを特徴とするので、調和空気の拡散量や到達距離等の制御を加減することができる。
【図面の簡単な説明】
【図１】図１は本発明の空気調和機の補助フラップの一実施形態を示す斜視図である。
【図２】図２は同じく正面図である。
【図３】図３は同じく本発明のリンクを形成する第１リンクと、第２リンクとを係合手段を介して連結した状態の拡大断面図である。
【図４】図４は本実施形態のリンクを構成する第１リンクの拡大側面図である。
【図５】図５は同じく第１リンクの拡大平面図である。
【図６】図６は同じく拡大右側面図である。
【図７】図７は本実施形態のリンクを構成する第２リンクの拡大側面図である。
【図８】図８は同じく第２リンクの拡大平面図である。
【図９】図９は本実施形態を構成するスペーサの拡大側面図である。
【図１０】図１０は同じく拡大背面図である。
【図１１】図１１は本実施形態を構成する風向板の拡大平面図である。
【図１２】図１２は同じく拡大正面図である。
【図１３】図１３は同じく調和空気本体の吹出口から吹出される調和空気として冷気の風向きを風向板により変更する使用状態を示す断面図である。
【図１４】図１４は同じく調和空気本体の吹出口から吹出される調和空気として暖気の風向きを風向板により変更する使用状態を示す断面図である。
【符号の説明】
１      空気調和機本体
２      吹出口
３      フラップ
４      ルーバ
５      風向板
５Ａ    風向板素子
６      固定部
７      リンク
８      分離溝
９      連結部
１０    第１リンク
１１    第２リンク
１１ａ  凹部
１２    係合手段
１３    スペーサ
１３ａ  本体部
１３ｂ  突起
１４    抱持片
１５    ナット
１６    止ねじ
Ｊ１    上面
Ｊ２    下面
Ｊ３    正面
Ｋ      調和空気
Ｐ      通気孔
Ｗ      幅方向
【図１】
2004340491.tif 000003
【図２】
2004340491.tif 000004
【図３】
2004340491.tif 000005
【図４】
2004340491.tif 000006
【図５】
2004340491.tif 000007
【図６】
2004340491.tif 000008
【図７】
2004340491.tif 000009
【図８】
2004340491.tif 000010
【図９】
2004340491.tif 000011
【図１０】
2004340491.tif 000012
【図１１】
2004340491.tif 000013
【図１２】
2004340491.tif 000014
【図１３】
2004340491.tif 000015
【図１４】
2004340491.tif 000016